(57)【要約】【課題】ＳＩＭカードの厚さに製造誤差によるばらつきがある場合でも、ＳＩＭカードを挿入することができ、コネクタとの間に適切な接触圧力を保つことができるようにする。【解決手段】ＳＩＭカード１１裏面の電気接点に当接するコネクタをカード収納用凹部１３の底面に設ける。ＳＩＭカード１１のヒンジ側端部に係止してＳＩＭカード１１を抜け止めするロック爪１５をカード収納用凹部１３のヒンジ部側側面に設ける。基端側が第２の筐体５に固定された板バネ２１の先端側にロック部材２２を取り付ける。ロック部材２２がＳＩＭカード１１の反ヒンジ側端部側をロック爪１５側へ押圧すると共に、ＳＩＭカード１１の他端の表面側に係止してＳＩＭカード１１を抜け止めする。ロック爪１５のＳＩＭカード１１との当接面をカード収納用凹部１３のヒンジ部側側面から離れるにつれて底面と反対側に向かって傾斜させる。【選択図】図２
2007018326.tif 000002
【特許請求の範囲】
【請求項１】
携帯通信機器のＳＩＭカード取付構造であって、
上記携帯通信機器の筐体におけるバッテリーを取り外したときに露出する面に設けられ、上記ＳＩＭカードを収納するカード収納用凹部と、
上記カード収納用凹部の底面に設けられ、上記ＳＩＭカードを筐体の外側へ押し出す方向に付勢しながら、該ＳＩＭカードの裏面に設けた電気接点に当接するコネクタと、
上記カード収納用凹部の側面に設けられ、上記ＳＩＭカードの一端の表面側に係止して該ＳＩＭカードを抜け止めするロック爪と、
基端側が上記筐体に固定された板バネの先端側に取り付けられ、上記ＳＩＭカードの他端側を上記ロック爪側へ押圧すると共に、該ＳＩＭカードの他端の表面側に係止して該ＳＩＭカードを抜け止めするロック部材とを備え、
上記ロック爪のＳＩＭカードとの当接面は、上記ＳＩＭカード収納用凹部の側面から離れるにつれて底面と反対側に向かって傾斜していることを特徴とする携帯通信機器のＳＩＭカード取付構造。
【請求項２】
請求項１に記載の携帯通信機器のＳＩＭカード取付構造において、
上記ロック部材は、上記ＳＩＭカード収納用凹部の底面から離れる方向に伸びるカード取出用操作部を有し、
上記カード取出用操作部をＳＩＭカードから離れる方向に押圧することで、上記ＳＩＭカードがロック部材及びロック爪から抜け出すように構成されていることを特徴とする携帯通信機器のＳＩＭカード取付構造。
【請求項３】
請求項１又は２に記載の携帯通信機器のＳＩＭカード取付構造において、
上記ロック部材は、溶着用突起が一体成形された樹脂成形品であり、上記板バネに設けた貫通孔に該溶着用突起を挿通させた状態で溶着されることで板バネに固定されていることを特徴とする携帯通信機器のＳＩＭカード取付構造。
【請求項４】
上記請求項１乃至３のいずれか１つに記載の携帯通信機器のＳＩＭカード取付構造を有することを特徴とする携帯通信機器。
【発明の詳細な説明】
【技術分野】
【０００１】
本発明は、携帯通信機器のＳＩＭカード取付構造に関するものである。
【背景技術】
【０００２】
従来より、ＳＩＭカードを備えた携帯通信機器が使用されている。ここで、ＳＩＭカードとは、電話番号などの情報が記録されているＩＣチップのことを指し、携帯通信機器の筐体に、このＳＩＭカードを装着することで携帯通信機器の使用が可能になる。すなわち、携帯通信機器本体だけでは電話をすることはできず、携帯通信機器本体とＳＩＭカードとが組み合わさることで初めて電話をすることが可能となる。
【０００３】
例えば、特許文献１のＳＩＭカード取付構造では、携帯通信機器の筐体におけるバッテリーを取り外したときに露出する面にＳＩＭカードを収納するカード収納用凹部が設けられている。このカード収納用凹部の底面には、ＳＩＭカードを筐体の外側へ押し出す方向に付勢しながら、該ＳＩＭカードの裏面に設けた電気接点に当接するコネクタが設けられている。また、カード収納用凹部の一対の側面にＳＩＭカードを装着可能にするための係止部を備え、一方の側にＳＩＭカードを押し出すための押し出しバネを有している。
【特許文献１】特開平６−２７６２６３号公報
【発明の開示】
【発明が解決しようとする課題】
【０００４】
ところで、上記ＳＩＭカードは、製品毎に厚さ方向にばらつきが大きい。例えば、全体の厚さ０．７６ｍｍに対して±０．０８ｍｍの製造誤差がある。
【０００５】
このような場合、従来の携帯通信機器のＳＩＭカード取付構造では、製品によっては、ＳＩＭカードが挿入できなかったり、コネクタに対して十分な接触圧力を保つことができず、正常な機能を果たせなかったりするという問題がある。
【０００６】
本発明は、かかる点に鑑みてなされたものであり、その目的とするところは、ＳＩＭカードの厚さに製造誤差によるばらつきがある場合でも、ＳＩＭカードを挿入することができ、コネクタとの間に適切な接触圧力を保つことができるようにすることにある。
【課題を解決するための手段】
【０００７】
上記の目的を達成するために、この発明では、ＳＩＭカードを係止するロック爪側へ押圧する板バネを設け、ロック爪のＳＩＭカードとの当接面に適切な傾斜を設けた。
【０００８】
具体的には、第１の発明では、携帯通信機器のＳＩＭカード取付構造を対象とし、
このＳＩＭカード取付構造は、上記携帯通信機器の筐体におけるバッテリーを取り外したときに露出する面に設けられ、上記ＳＩＭカードを収納するカード収納用凹部と、
上記カード収納用凹部の底面に設けられ、上記ＳＩＭカードを筐体の外側へ押し出す方向に付勢しながら、該ＳＩＭカードの裏面に設けた電気接点に当接するコネクタと、
上記カード収納用凹部の側面に設けられ、上記ＳＩＭカードの一端の表面側に係止して該ＳＩＭカードを抜け止めするロック爪と、
基端側が上記筐体に固定された板バネの先端側に取り付けられ、上記ＳＩＭカードの他端側を上記ロック爪側へ押圧すると共に、該ＳＩＭカードの他端の表面側に係止して該ＳＩＭカードを抜け止めするロック部材とを備え、
上記ロック爪のＳＩＭカードとの当接面は、上記ＳＩＭカード収納用凹部の側面から離れるにつれて底面と反対側に向かって傾斜している。
【０００９】
上記の構成によると、ＳＩＭカードの挿入時には、板バネに取り付けられたロック部材を板バネを撓ませながら押しのけ、ＳＩＭカードが挿入される。このとき、ＳＩＭカードに厚さ方向のばらつきがある場合、ロック爪のＳＩＭカードとの当接面は、ＳＩＭカード収納用凹部の側面から離れるにつれて底面と反対側に向かって傾斜しているので、ＳＩＭカードの端部は、規定通りの厚さのＳＩＭカードに比べてロック爪の当接面に対して若干上下のずれた位置に当接する。しかし、ＳＩＭカードは、板バネによってロック爪側に押圧されてスライド可能に保持されているので、その誤差は板バネ２１によって吸収される。
【００１０】
第２の発明では、上記ロック部材は、上記ＳＩＭカード収納用凹部の底面から離れる方向に伸びるカード取出用操作部を有し、
上記カード取出用操作部をＳＩＭカードから離れる方向に押圧することで、上記ＳＩＭカードがロック部材及びロック爪から抜け出すように構成されている。
【００１１】
上記の構成によると、ロック部材を押しのけて挿入されたＳＩＭカードは、ロック部材に係止された状態にあるが、カード取出用操作部をＳＩＭカードから離れる方向に押圧すれば、その係止状態が解除され、コネクタによって筐体の外側へ付勢されたＳＩＭカードがロック部材及びロック爪から抜け出し、ＳＩＭカードが取り出される。
【００１２】
第３の発明では、上記ロック部材は、溶着用突起が一体成形された樹脂成形品であり、上記板バネに設けた貫通孔に、この溶着用突起を挿通させた状態で溶着されることで板バネに固定されている。
【００１３】
上記の構成によると、樹脂成形品よりなるロック部材は、一体に形成された溶着用突起を加熱することで板バネに容易に取り付けられる。
【００１４】
第４の発明の携帯通信機器は、上記ＳＩＭカード取付構造を有している。
【発明の効果】
【００１５】
以上説明したように、上記第１の発明によれば、板バネに取り付けられたロック部材に対して反対側のロック爪におけるＳＩＭカードとの当接面をＳＩＭカード収納用凹部の側面から離れるにつれて底面と反対側に向かって傾斜させている。このため、ＳＩＭカードの厚さに製造誤差によるばらつきがある場合でも、この当接面の傾きと板バネの作用によって厚さ方向の誤差が吸収されるので、ＳＩＭカードを挿入することができ、コネクタとの間に適切な接触圧力を保つことができる。
【００１６】
上記第２の発明によれば、カード取出用操作部をＳＩＭカードから離れる方向に押圧して、ロック部材に係止されたＳＩＭカードの係止状態を解除するようにしている。このため、ＳＩＭカードを容易に取り出すことができる。
【００１７】
上記第３の発明によれば、ロック部材を溶着により、板バネに固定している。このため、ＳＩＭカードに当接する部分はＳＩＭカードを傷つけない樹脂成形品で形成し、弾性を要する部分を強度を有する板バネで形成できるので、本発明の作用効果が顕著に発揮できるＳＩＭカード取付構造を容易に製造することができる。
【００１８】
上記第４の発明によれば、ＳＩＭカードの厚さに製造誤差によるばらつきがある場合でも、ＳＩＭカードを挿入することができ、コネクタとの間に適切な接触圧力を保つことができる携帯通信機器が得られる。
【発明を実施するための最良の形態】
【００１９】
以下、本発明の実施形態を図面に基づいて説明する。
【００２０】
図１に本発明の実施形態に係る携帯通信機器のＳＩＭカード取付構造８が設けられた携帯通信機器としての携帯電話機１を示す。図２に示すように、この携帯電話機１は、例えば、ヒンジ部６を中心に液晶表示部２を有する第１の筐体３と、操作部４を有する第２の筐体５とが折畳み自在に構成されている。
【００２１】
上記第２の筐体５の裏側には、略矩形板状のバッテリー（図示せず）を収容するためのバッテリー収納部１０が設けられている。このバッテリー収納部１０におけるバッテリーを取り外したときに露出する露出面１０ａには、ＳＩＭカード１１を収納する平面視略矩形状のカード収納用凹部１３が形成されている。
【００２２】
上記ＳＩＭカード１１は、例えば、図７に示すように、略矩形板状の板厚が０．７６ｍｍの薄いカード状記憶媒体（ＩＣチップ）であり、その裏面には、複数の電気接点１１ａが形成されている。
【００２３】
上記カード収納用凹部１３の底面１３ａには、上記ＳＩＭカード１１の電気接点１１ａに当接するコネクタ１４が設けられている。このコネクタ１４は、ＳＩＭカード１１を第２の筐体５の外側へ押し出す方向に付勢する弾性力を有した導電性のある金属よりなる。
【００２４】
図３に示すように、上記カード収納用凹部１３におけるヒンジ部側側面１３ｂの上端には、ロック爪１５が形成されている。このロック爪１５は、上記ＳＩＭカード１１の一端（ヒンジ側端部１１ｂ）の表面側に係止してＳＩＭカード１１を抜け止めする役割を果たしている。このロック爪１５は、断面が台形状に形成され、上記ＳＩＭカード１１との当接面１５ａ（下面）は、上記カード収納用凹部１３のヒンジ部側側面１３ｂから離れるにつれて底面１３ａと反対側に向かって傾斜している。一方、ＳＩＭカード１１挿入時に当接する上面１５ｂ側は、上記ヒンジ部側側面１３ｂから離れるにつれて底面１３ａへ向かうように傾斜し、ＳＩＭカード１１が挿入しやすくなっている。
【００２５】
上記第２の筐体５のヒンジ部６と反対側には、板バネ固定部２０が設けられている。この板バネ固定部２０には、第２の筐体５の幅方向に長い板バネ２１の基端側が固定されている。図４に示すように、この板バネ２１の基端側には、係止部２１ａが設けられると共に、先端側には、２つの貫通孔２１ｂが設けられている。この貫通孔２１ｂに溶着用突起２３を挿通させた状態で樹脂成形品よりなるロック部材２２が溶着されている。この状態で、板バネ２１の係止部２１ａを板バネ固定部２０に係止させることで、板バネ２１が板バネ固定部２０に固定されている。
【００２６】
上記ロック部材２２の溶着用突起２３は、ロック部材２２に一体に形成されたものである。このロック部材２２が上記板バネ２１の先端側に溶着されることで、ＳＩＭカード１１の他端（反ヒンジ側端部１１ｃ）側を上記ロック爪１５側へ押圧するように構成されている。図５に示すように、このロック部材２２は、下端側に直方体状の突出部２４を有し、その上端には、ＳＩＭカード１１の反ヒンジ側端部１１ｃの表面側に係止してＳＩＭカード１１を抜け止めするための係止爪２５がヒンジ部６側へ突出するように形成されている。ＳＩＭカード１１挿入時に当接する係止爪２５の上面２５ａは、上記ロック爪１５の上面１５ｂと同様に、ヒンジ部６側へ向かうにつれて底面１３ａへ向かうように傾斜し、ＳＩＭカード１１が挿入しやすくなっている。係止爪２５の下側には、ＳＩＭカード１１の反ヒンジ側端部１１ｃを係止する略水平な段部２５ｂが形成されている。
【００２７】
また、ロック部材２２の突出部２４の上側には、上記カード収納用凹部１３の底面１３ａから離れる方向に伸びるカード取出用操作部２６が形成されている。このカード取出用操作部２６をＳＩＭカード１１から離れる方向（図５に白矢印で示す）に押圧することで、上記コネクタ１４に押し出されたＳＩＭカード１１がロック部材２２の係止爪２５及びロック爪１５から抜け出すように構成されている。
【００２８】
−作用−
次に、本実施形態にかかる携帯電話機１のＳＩＭカード取付構造８の作用について説明する。
【００２９】
上記ＳＩＭカード１１を第２の筐体５に取り付けるには、バッテリーを取り外した状態で、ＳＩＭカード１１をカード収納用凹部１３に挿入する。
【００３０】
すなわち、図６に示すように、ＳＩＭカード１１のヒンジ側端部１１ｂをロック爪１５の上面１５ｂに当接させると共に、反ヒンジ側端部１１ｃをロック部材２２の上面１５ｂに当接させ、ロック部材２２をヒンジ部６と反対側に押し付け、板バネ２１を撓ませながら、ロック部材２２を押しのけ、電気接点１１ａをコネクタ１４に押し付けるまで挿入する。
【００３１】
ついで、ＳＩＭカード１１の両端１１ｂ，１１ｃがロック部材２２の係止爪２５の上面２５ａ及びロック爪１５の上面１５ｂを通過すると、ロック部材２２の段部２５ｂ及びロック爪１５の当接面１５ａに落ち込み、ロック部材２２がヒンジ部６側へ押し戻され、ロック部材２２の係止爪２５及びロック爪１５の当接面１５ａにＳＩＭカード１１の両端１１ｂ，１１ｃが係止される。
【００３２】
このとき、ＳＩＭカード１１の厚さ方向にばらつきがあり、例えば、その厚さが規定よりも厚い場合には、ＳＩＭカード１１のヒンジ側端部１１ｂは、規定通りのＳＩＭカード１１よりもロック爪１５の当接面１５ａの若干上側に当接し、ＳＩＭカード１１はロック部材２２側へ若干ずれることになるが、その誤差は板バネ２１によって吸収される。
【００３３】
反対に、ＳＩＭカード１１を取り外すには、ロック部材２２のカード取出用操作部２６をＳＩＭカード１１から離れる方向に押圧する。このことで、図６に示すように、板バネ２１がヒンジ部６と反対側へ撓んでロック部材２２がヒンジ部６と反対側へ移動し、その段部２５ｂからコネクタ１４に付勢されたＳＩＭカード１１の反ヒンジ側端部１１ｃが抜け出す。
【００３４】
そして、ＳＩＭカード１１がコネクタ１４に押し出され、ロック部材２２及びロック爪１５から抜け出すので、ＳＩＭカード１１を取り出すことができる。
【００３５】
−実施形態の効果−
したがって、本実施形態にかかる携帯電話機１のＳＩＭカード取付構造８によると、板バネ２１に取り付けられたロック部材２２に対して反対側のロック爪１５におけるＳＩＭカード１１との当接面１５ａをカード収納用凹部１３のヒンジ部側側面１３ｂから離れるにつれて底面１３ａと反対側に向かって傾斜させている。このため、ＳＩＭカード１１の厚さに製造誤差によるばらつきがある場合でも、この当接面１５ａの傾きと板バネ２１の作用によって厚さ方向の誤差が吸収されるので、ＳＩＭカード１１を挿入することができ、コネクタ１４との間に適切な接触圧力を保つことができる。
【００３６】
また、カード取出用操作部２６をＳＩＭカード１１から離れる方向に押圧して、ロック部材２２に係止されたＳＩＭカード１１の係止状態を解除するようにしている。このため、ＳＩＭカード１１を容易に取り出すことができる。
【００３７】
また、ロック部材２２を溶着により、板バネ２１に固定している。このため、ＳＩＭカード１１に当接する部分はＳＩＭカード１１を傷つけない樹脂成形品で形成し、弾性を要する部分を強度を有する板バネ２１で形成できるので、本実施形態の作用効果が顕著に発揮できるＳＩＭカード取付構造８を容易に製造することができる。
【００３８】
（その他の実施形態）
本発明は、上記実施形態について、以下のような構成としてもよい。
【００３９】
すなわち、上記実施形態では、携帯通信機器として、折り畳み式の携帯電話機１を示したが、折り畳み式でない携帯電話機でもよい。
【００４０】
また、上記実施形態では、カード収納用凹部１３を第２の筐体５のヒンジ部６と反対側に配置したが、その位置には限定されない。
【００４１】
なお、以上の実施形態は、本質的に好ましい例示であって、本発明、その適用物や用途の範囲を制限することを意図するものではない。
【産業上の利用可能性】
【００４２】
以上説明したように、本発明は、携帯電話機などの携帯通信機器のＳＩＭカード取付構造について有用である。
【図面の簡単な説明】
【００４３】
【図１】本発明の実施形態に係る携帯電話機のＳＩＭカード取付構造を示す背面図である。
【図２】図１のII-II線断面図である。
【図３】ロック爪及びその周辺を拡大して示す側方断面図である。
【図４】板バネ及びロック部材を示す正面図である。
【図５】板バネ及びロック部材を示す側面図である。
【図６】ＳＩＭカードの挿入時に板バネが撓む様子を示す図１相当図である。
【図７】（ａ）がＳＩＭカードを裏面側から見た平面図であり、（ｂ）がＳＩＭカードの側面図である。
【符号の説明】
【００４４】
１      携帯電話機（携帯通信機器）
８      ＳＩＭカード取付構造
１０ａ    底面（露出する面）
１１      ＳＩＭカード
１３      カード収納用凹部
１４      コネクタ
１５      ロック爪
１５ａ    当接面
２１      板バネ
２１ｂ    貫通孔
２２      ロック部材
２３      溶着用突起
２６      カード取出用操作部
【図１】
2007018326.tif 000003
【図２】
2007018326.tif 000004
【図３】
2007018326.tif 000005
【図４】
2007018326.tif 000006
【図５】
2007018326.tif 000007
【図６】
2007018326.tif 000008
【図７】
2007018326.tif 000009